(57)【要約】【課題】本発明は、調剤薬を自家用自動車に乗ったままで受け取ることができるドライブスルー方式の調剤薬局を提供することを目的とするものである。【構成】本発明は、上記の課題を解決するために、店舗側面部には受付窓口を設けるとともに店舗背面部には受渡窓口を設け、駐車場に調剤薬剤が出来たことを知らせる表示板を設置した調剤薬局の店舗と、調剤薬が出来上がるのを自家用自動車を停止させて待つための駐車場とからなることを特徴とするドライブスルー方式の調剤薬局の構成とした。【選択図】　図１
2004044084.tif 000002
【特許請求の範囲】
【請求項１】
店舗側面部には受付窓口を設けるとともに店舗背面部には受渡窓口を設け、駐車場に調剤薬剤が出来たことを知らせる表示板を設置した調剤薬局の店舗と、調剤薬が出来上がるのを自家用自動車を停止させて待つための駐車場とからなることを特徴とするドライブスルー方式の調剤薬局。
【発明の詳細な説明】
【０００１】
【発明が属する技術分野】
本発明は、ドライブスルー方式の調剤薬局に関する発明である。
【０００２】
【従来の技術】
従来の調剤薬局は、顧客が自家用自動車で来て、自家用自動車から降りて入って調剤された薬を受け取ることを前提として建築された店舗が一般的であるために、自家用自動車で来た顧客は、自家用自動車を駐車場に駐車し、自家用自動車から降りて店舗に入店し、調剤された薬を購入し受け取っている。
【０００３】
【発明が解決しようとする課題】
しかしながら、従来の調剤薬局の店舗では、その都度、顧客は運転してきた自家用自動車を降りて、調剤薬局内に入り調剤された薬を受け取らなければならないために車中心の生活の顧客にとっては面倒であり、また車の昇降が困難な顧客にとっては非常に負担がかかる。
【０００４】
また、ドライブスルー方式は、ファーストフード店などで採用されているが、この場合、調剤薬局に来店された顧客が車で入店し縦列に並んで行くために、構内で渋滞が起こり、時には道路まではみ出してしまう場合もある。
【０００５】
更に、従来用いられているドライブスルー形式では、注文した順番で並んだまま受け取り口に進み、商品を受け取る形式であるために、注文を受けた順番を間違えるなどがあると、商品のスムーズな受け渡しができない場合もある。
【０００６】
そこで、本発明は、自動車に乗ったままで調剤された薬の受け渡しが可能であり、受付付近での渋滞が起こることがなく、スムーズに調剤された薬の受け渡しが可能なドライブスルー方式の調剤薬局を提供することを目的とするものである。
【０００７】
【課題を解決するための手段】
本発明であるドライブスルー方式の調剤薬局は、上記の課題を解決するために、店舗側面部には受付窓口を設けるとともに店舗背面部には受渡窓口を設け、駐車場に調剤薬剤が出来たことを知らせる表示板を設置した調剤薬局の店舗と、調剤薬が出来上がるのを自家用自動車を停止させて待つための駐車場とからなることを特徴とするドライブスルー方式の調剤薬局の構成とした。
【０００８】
【実施例】
以下に、添付図面に基づき、本発明であるドライブスルー方式の調剤薬局について詳細に説明する。
【０００９】
図１は、本発明であるドライブスルー方式の調剤薬局の平面図であり、自家用自動車で来店された車の全体の流れを示した図である。図１に示すように、本発明であるドライブスルー方式の調剤薬局は、道路２に面した敷地８内に建てられる。本ドライブスルー方式の調剤薬局は、調剤薬局１の店舗と前記敷地８又は敷地８内に設置された駐車場５からなる。
【００１０】
図１に示すように、敷地８内に建てられている店舗の道路２に面した店舗正面部１ａの屋根１ｏには、調剤薬局１であることを来客に分かるようにするために、店名を印刷した看板１ｌ、１ｍが取り付けてある
【００１１】
駐車場５は第１駐車場５ａと第２駐車場５ｂからなり、前記第１駐車場５ａと第２駐車場５ｂは、店舗１を囲むように、Ｌ字型に設されている。そして、駐車場５の第１駐車場５ａ及び第２駐車場５ｂには複数台の来店された自家用自動車が駐車できるように複数台分の駐車枠５ｄ、５ｄ、５ｄ・・・・５ｃ、５ｃ、５ｃ・・・・が設けてある。
【００１２】
第１駐車場５ａは、調剤薬局１の店舗の調剤された薬を受け渡すための受付窓口４のある店舗側面部１ｂに平行して対向するように設置する。また、駐車場５の第２駐車場５ｂは、調剤薬局１の店舗の調剤された薬を受け渡すための受渡窓口７のある店舗背面部１ｃに平行して対向するように設置する。
【００１３】
以下に、図１に基づいて、本発明であるドライブスルー方式の調剤薬局１に来店された顧客が、調剤薬局１で受け付けをしてから、調剤薬局１で調剤された調剤薬を受付窓口で受け取り、調剤薬局１から出ていくまでの経過を説明する。
【００１４】
図１に示すように、自家用自動車３で来店する顧客は、道路２から矢印３ａに示すように入口を表示する入口表示板９ａのある入口９から調剤薬局１に入店する。
【００１５】
そして、入店した自家用自動車３に搭乗した顧客は、受付窓口４まで自家用自動車３に搭乗したままで進行し、受付窓口４で受付をする。この時、自家用自動車３に搭乗した顧客は、受付窓口４で受付番号を受け取る。
【００１６】
受付窓口４で受け付けを済ませ、受付窓口４で受付番号を受け取った自家用自動車３に搭乗した顧客は、矢印３ｂに示すように、駐車場５の第１駐車場５ａ又は第２駐車場５ｂのいずれかの空車となっている駐車枠５ｃ、５ｃ、５ｃ、５ｃ・・・・５ｄ、５ｄ、５ｄ、５ｄ・・・・内に駐車する。
【００１７】
駐車枠５ｃ、５ｄに駐車する際には、自家用自動車３ｅの前方が、必ず、調剤薬局１の店舗側を向くようにバックで自家用自動車３ｅを駐車枠５ｃ、５ｄ内に駐車する。
【００１８】
このように、駐車枠５ｃ、５ｄに自家用自動車３ｅの前方が、必ず、調剤薬局１の店舗側を向くようにバックで自家用自動車３ｅを駐車枠５ｃ、５ｄ内に駐車するようにするために、入口９の付近で来客が気付き易い個所に駐車方法を明記した看板９ｂを立てて置く。
【００１９】
自家用自動車３に搭乗した顧客は、そのまま駐車場５で調剤薬の出来上がりを待つ。ここで、店舗側を向くように自家用自動車３ｅを駐車しているのは、調剤薬の出来たことを表示するために店舗に固定されている表示板６、６ａが見える状態で待機させるためである。この表示板６、６ａは、調剤薬局１の複数個所に取り付ける。
【００２０】
受付を済ませ、駐車場５で待っていると、調剤薬が出来たときには、調剤薬局１の店舗に設置された表示板６、６ａに表示される。駐車場５で待機中の自家用自動車３に搭乗した顧客は、表示板６、６ａに自分の受付番号が表示されたことを確認すると、矢印３ｃに示すように自家用自動車３ｆは駐車場５を前進して受渡窓口７まで進行する。
【００２１】
受渡窓口７で薬を受け取り代金を支払った自家用自動車３ｆに搭乗した顧客は、そのまま矢印３ｄの方向へ進み車路２ａを通って、調剤薬局１の店舗を出店する。
【００２２】
このように、受付を済ませた自家用自動車３に搭乗した顧客が、必ず駐車場５に自家用自動車３を駐車して待機することで、車が縦列で並ぶことが無くなり、構内での渋滞が緩和される。また、顧客自身がそれぞれの受付窓口４で受け取った受付番号を確認してから、調剤された調剤薬の受け渡しがあるので、受渡窓口７ではスムーズに調剤薬の受け渡しができる。
【００２３】
図２は、本発明であるドライブスルー方式の調剤薬局の調剤薬局の店舗の見取り図である。図２に示すように、本発明であるドライブスルー方式の調剤薬局の調剤薬局１の店舗は、店舗の左側面部１ｂに受付窓口４を設け、調剤薬局１の店舗背面部１ｃに受渡窓口７が設けている。
【００２４】
調剤薬局１の店舗内の特徴としては、受付窓口４で受け付けた顧客が希望する薬を調剤し、受渡窓口７で受け渡す一連の作業がスムーズに行えるように、受付１ｈの奥には調剤室１ｉが設けてある。即ち、調剤室１ｉの一角に受渡窓口７が設けられている。
【００２５】
また、受付窓口４に隣接して待合室として使用することができる売店１ｆを設けている。この売店１ｆは、自家用自動車３を使用せずに歩いてドア１ｄから入ってくる顧客もあることを考慮して設けた。顧客が、調剤室１ｉにおいて、薬が調剤され出来上がるまで待っていられるようにしたものである。
【００２６】
また、調剤室１ｉに隣接して事務室１ｊが設けられている。調剤事務室１ｊ内には、ドア付きの服薬指導室１ｋが２室及び出入りするための玄関１ｑがある。事務室１ｊには、調剤薬局１の外側から出入りできるトイレ１ｐを設けてもよい。
【００２７】
更に、ドア１ｄを開けるとホール１ｅがあり、ホール１ｅに隣接して女性用の女子便所１ｒがある。この女子便所１ｒは、身体障害者が使用できる便所とする。そして、女子便所１ｒの奥には、男子用の男子便所１ｓがある。
【００２８】
図３は、本発明であるドライブスルー方式の調剤薬局の道路に面した立面図である。図３に示すように、本発明であるドライブスルー方式の調剤薬局は、調剤薬を受け取る顧客が、容易に入りやすくするために道路２に面している敷地８内に建てる。
【００２９】
そして、自家用自動車３で来店される顧客が、道路２を運転中であっても、目に付きやすくするために、道路２に面した店舗正面部１ａの庇１ｎに調剤薬局１の店名を大きく記載した看板１ｌ、１ｍを左側の位置及び右側の位置に設置する。
【００３０】
符号１ｄは、入口に設置されているドアである。調剤薬局１の店舗に来店される顧客は、必ずしも全ての顧客が自家用自動車３で来店されるとは限らず、歩いて来店されるための顧客が入る入口がある。自家用自動車３で来店される顧客は、調剤薬局１の左側にある入口表示板９ａがある入口９から入る。
【００３１】
図４は、本発明であるドライブスルー調剤薬局の店舗の立面図である。図４に示すように、受付窓口４の受付カウンター４ａ及び受渡窓口７の受渡カウンター７ａは、自動車の窓に対応できる高さの位置に設けられている。
【００３２】
受渡窓口７の上部には庇７ｂが設けられている。図４に示すように、調剤された薬剤を受け取る受渡窓口７には、雨除け用の庇７ｂが設置してある。このように、雨除け用の庇７ｂを設置することにより、調剤された調剤薬を受渡窓口７から自家用自動車３ｆ内の顧客に手渡す際に大雨であっても調剤薬が雨により濡れてしまうことを防止することができる。
【００３３】
【発明の効果】
本発明は、以上に説明したような構成であるから、以下の効果が得られる。
第１に、車を降りずに調剤薬の受け渡しが可能であるために、生活が車中心となっている顧客にとっては非常に便利である。
【００３４】
また、車の昇降が困難な顧客にとっても、車を降りなくても調剤薬の受け渡しが可能であるために負担が軽くなる。
【００３５】
第２に、顧客が車のままで薬を購入でき、構内での渋滞がなく、スムーズに薬の受け渡しができるドライブスルー方式であるために、調剤薬局の店舗にとっての集客の増大につながる。
【図面の簡単な説明】
【図１】本発明であるドライブスルー調剤薬局の全体の流れを示す図である。
【図２】本発明であるドライブスルー調剤薬局の店舗の見取り図である。
【図３】本発明であるドライブスルー調剤薬局の店舗の正面立面図である。
【図４】本発明であるドライブスルー調剤薬局の店舗の側部立面図である。
【符号の説明】
１　　　　調剤薬局
１ａ　　　店舗正面部
１ｂ　　　店舗側面部
１ｃ　　　店舗背面部
１ｄ　　　ドア
１ｅ　　　ホール
１ｆ　　　売店（待合室）
１ｇ　　　カウンター
１ｈ　　　受付
１ｉ　　　調剤室
１ｊ　　　事務室
１ｋ　　　服薬指導室
１ｌ　　　看板
１ｍ　　　　　看板
１ｎ　　　庇
１ｏ　　　屋根
１ｐ　　　　　　トイレ
１ｑ　　　　　　玄関
１ｒ　　　女子便所
１ｓ　　　　　　男子便所
２　　　　道路
２ａ　　　車路
３　　　　自家用自動車
３ａ　　　矢印
３ｂ　　　矢印
３ｃ　　　矢印
３ｄ　　　矢印
３ｅ　　　自家用自動車
３ｆ　　　自家用自動車
３ｇ　　　自家用自動車
４　　　　受付窓口
４ａ　　　受付カウンター
５　　　　駐車場
５ａ　　　第１駐車場
５ｂ　　　第２駐車場
５ｃ　　　駐車枠
５ｄ　　　駐車枠
６、６ａ　表示板
７　　　　受渡窓口
７ａ　　　受渡カウンター
７ｂ　　　庇
８　　　　敷地
９　　　　入口
９ａ　　　　　　入口表示板
９ｂ　　　　　　看板
【図１】
2004044084.tif 000003
【図２】
2004044084.tif 000004
【図３】
2004044084.tif 000005
【図４】
2004044084.tif 000006